(57)【要約】      （修正有）【課題】飲み口の開閉を簡便かつ的確に行うことが可能な飲料容器を提供する。【解決手段】上部開口の内側に内周摺動部１２とその外側に外周鍔部１３が延設されてなるカップ状の容器本体１０と、内周摺動部及び外周鍔部に着脱しかつ回動自在に嵌着する内嵌合部５２を有する蓋体５０とを有する飲料容器であり、容器本体の内周摺動部及び外周鍔部には容器本体内の飲料を外部へ注出するための部分凹部からなる注出凹部２０が形成されているとともに、容器本体の内壁部には蓋停止凹部３０が形成されており、蓋体の内嵌合部の下面にはその回動により蓋停止凹部と係合する蓋停止突部６０が形成され、蓋体には蓋停止凹部と蓋停止突部との係合により蓋体の回動が停止される位置の容器本体の注出凹部と対応する飲み口連通部７０が形成されてなる。【選択図】図１３
0003204924.tif 000002
【実用新案登録請求の範囲】
【請求項１】
上部開口の内側に内周摺動部及び前記内周摺動部の外側に外周鍔部が延設されてなるカップ状の容器本体と、前記容器本体の前記内周摺動部及び前記外周鍔部に着脱しかつ回動自在に嵌着する内嵌合部を有する蓋体とを有し、
前記容器本体の前記内周摺動部及び前記外周鍔部には当該容器本体内の飲料を外部へ注出するための部分凹部からなる注出凹部が形成されているとともに、前記容器本体の内壁部には蓋停止凹部が形成されており、
前記蓋体の前記内嵌合部の下面にはその回動により前記蓋停止凹部と係合する蓋停止突部が形成され、前記蓋体には前記蓋停止凹部と前記蓋停止突部との係合により前記蓋体の回動が停止される位置の前記容器本体の注出凹部と対応する飲み口連通部が形成されてなる
ことを特徴とする飲料容器。
【請求項２】
前記蓋停止凹部が２つの条部間に形成されており、前記蓋停止突部は前記条部を乗り越えて前記蓋停止凹部と係合する請求項１に記載の飲料容器。
【請求項３】
前記注出凹部が対向して前記容器本体に２か所形成されており、前記蓋体には一方の注出凹部に対応する飲み口連通部と他方の注出凹部に対応する外気連通部とが形成されている請求項１または２に記載の飲料容器。
【請求項４】
前記蓋停止凹部は前記２か所の注出凹部間の前記内壁部に形成されており、前記蓋停止突部は前記飲み口連通部と前記外気連通部との間の前記蓋停止凹部に対応する位置に形成されている請求項３に記載の飲料容器。
【請求項５】
前記蓋停止凹部が対向して前記内壁部に２か所形成されており、前記蓋停止突部は前記２か所の前記蓋停止凹部に対応して２か所形成されている請求項４に記載の飲料容器。
【請求項６】
前記内周摺動部の下部直径（Ｄｃ１）が該内周摺動部の上部直径（Ｄｃ２）よりも大きく、かつ、前記内嵌合部の下部直径（Ｄｔ１）が該内嵌合部の上部直径（Ｄｔ２）よりも大きく形成されていて、前記容器本体の前記内周摺動部の内側に前記蓋体の前記内嵌合部が嵌着する請求項１ないし５のいずれか１項に記載の飲料容器。
【請求項７】
前記蓋体に該蓋体を回動するための回動つまみ部が設けられている請求項１ないし６のいずれか１項に記載の飲料容器。
【請求項８】
前記蓋体に排気部が形成されている請求項１ないし７のいずれか１項に記載の飲料容器。
【請求項９】
前記蓋体に該蓋体を取り外すための開閉つまみ部が設けられている請求項１ないし８のいずれか１項に記載の飲料容器。
【請求項１０】
前記蓋体の蓋面部に補助段部が設けられている請求項１ないし９のいずれか１項に記載の飲料容器。
【請求項１１】
前記容器本体の胴部外周面を被覆するスリーブが備えられる請求項１ないし１０のいずれか１項に記載の飲料容器。
【請求項１２】
前記飲料容器がホット飲料のための飲料容器である請求項１ないし１１のいずれか１項に記載の飲料容器。
【請求項１３】
前記飲料容器が使い捨て用である請求項１ないし１２のいずれか１項に記載の飲料容器。
【考案の詳細な説明】
【技術分野】
【０００１】
本考案は飲料容器に関し、特には容器の密封性を高めて内容物が漏洩することを防ぐとともに、開けやすさも備えた蓋付きの使い捨ての飲料容器に関する。
【背景技術】
【０００２】
通常、飲料のテイクアウトの販売時等において、コップ等の容器に飲料を注いだ後に蓋が被せられる。持ち帰る際にコップが揺れて内容物の飲料がこぼれないようにするためである。蓋を被せてコップの開口部を完全に封止してしまう場合、内容物の液こぼれに効果的である。しかし、飲む際に蓋を取り外さなければならず煩雑である。また、蓋の取り外しの際にこぼしてしまうおそれもある。いったん容器に蓋を被せた後には、極力蓋を被せた状態のまま、内容物の飲料を飲むことができればよいといえる。
【０００３】
この種の蓋付き飲料容器では、例えば蓋体の飲み口がドーム状に盛り上がっている等、蓋体の飲み口部分の形状によって容器の傾け具合と実際の飲料の液面の感覚が捉えにくくなることがある。特に、ホット飲料の場合に容器の傾け加減が定まらないと、思わず熱い飲料を飲み込んでしまうおそれがある。そこで本考案者は、先に内部の飲料を外部へ注出するための注出凹部が形成されたカップ状の容器本体と、容器本体に着脱しかつ回動自在に嵌着する内嵌合部を有し回動により容器本体の注出凹部と対応する飲み口連通部が形成された蓋体とを備えた飲料容器を提案した（例えば特許文献１参照。）。
【０００４】
この飲料容器では、蓋体が内嵌合部により容器本体に嵌着されており、その蓋体の回動により飲み口の開閉が行われるため、飲料容器からの液漏れを抑制できるとともに、飲み残した際も密封性が確保される。特に、蓋体は容器本体に対して内側に嵌合することにより、飲料容器自体の全高が容器本体とほとんど変わらないため、喫飲時の飲料容器の傾け具合と実際の飲料の液面の感覚の不一致は無くなる。従って、喫飲の感覚はコップから飲む感覚に近くなり、飲料容器を必要以上に傾けて飲料をこぼしたり、思わず熱い飲料を飲みこんだりする等の不具合に有効に対処できる。
【０００５】
この飲料容器にあっては、主としてテイクアウト式の販売に用いられるため、室内に留まらず、屋外や車内等の様々な状況での使用に対応可能なように、取り扱いの簡便さが求められている。そこで、本考案者は、飲み口の的確な開閉に関してより取り扱いが容易な飲料容器を考案するに至った。
【先行技術文献】
【特許文献】
【０００６】
【特許文献１】特開２０１５−１４５２８１号公報
【考案の概要】
【考案が解決しようとする課題】
【０００７】
本考案は、前記の点に鑑みなされたものであり、飲み口の開閉を簡便かつ的確に行うことが可能な飲料容器を提供するものである。
【課題を解決するための手段】
【０００８】
すなわち、請求項１の考案は、上部開口の内側に内周摺動部及び前記内周摺動部の外側に外周鍔部が延設されてなるカップ状の容器本体と、前記容器本体の前記内周摺動部及び前記外周鍔部に着脱しかつ回動自在に嵌着する内嵌合部を有する蓋体とを有し、前記容器本体の前記内周摺動部及び前記外周鍔部には当該容器本体内の飲料を外部へ注出するための部分凹部からなる注出凹部が形成されているとともに、前記容器本体の内壁部には蓋停止凹部が形成されており、前記蓋体の前記内嵌合部の下面にはその回動により前記蓋停止凹部と係合する蓋停止突部が形成され、前記蓋体には前記蓋停止凹部と前記蓋停止突部との係合により前記蓋体の回動が停止される位置の前記容器本体の注出凹部と対応する飲み口連通部が形成されてなることを特徴とする飲料容器に係る。
【０００９】
請求項２の考案は、前記蓋停止凹部が２つの条部間に形成されており、前記蓋停止突部は前記条部を乗り越えて前記蓋停止凹部と係合する請求項１に記載の飲料容器に係る。
【００１０】
請求項３の考案は、前記注出凹部が対向して前記容器本体に２か所形成されており、前記蓋体には一方の注出凹部に対応する飲み口連通部と他方の注出凹部に対応する外気連通部とが形成されている請求項１または２に記載の飲料容器に係る。
【００１１】
請求項４の考案は、前記蓋停止凹部は前記２か所の注出凹部間の前記内壁部に形成されており、前記蓋停止突部は前記飲み口連通部と前記外気連通部との間の前記蓋停止凹部に対応する位置に形成されている請求項３に記載の飲料容器に係る。
【００１２】
請求項５の考案は、前記蓋停止凹部が対向して前記内壁部に２か所形成されており、前記蓋停止突部は前記２か所の前記蓋停止凹部に対応して２か所形成されている請求項４に記載の飲料容器に係る。
【００１３】
請求項６の考案は、前記内周摺動部の下部直径が該内周摺動部の上部直径よりも大きく、かつ、前記内嵌合部の下部直径が該内嵌合部の上部直径よりも大きく形成されていて、前記容器本体の前記内周摺動部の内側に前記蓋体の前記内嵌合部が嵌着する請求項１ないし５のいずれか１項に記載の飲料容器に係る。
【００１４】
請求項７の考案は、前記蓋体に該蓋体を回動するための回動つまみ部が設けられている請求項１ないし６のいずれか１項に記載の飲料容器に係る。
【００１５】
請求項８の考案は、前記蓋体に排気部が形成されている請求項１ないし７のいずれか１項に記載の飲料容器に係る。
【００１６】
請求項９の考案は、前記蓋体に該蓋体を取り外すための開閉つまみ部が設けられている請求項１ないし８のいずれか１項に記載の飲料容器に係る。
【００１７】
請求項１０の考案は、前記蓋体の蓋面部に補助段部が設けられている請求項１ないし９のいずれか１項に記載の飲料容器に係る。
【００１８】
請求項１１の考案は、前記容器本体の胴部外周面を被覆するスリーブが備えられる請求項１ないし１０のいずれか１項に記載の飲料容器に係る。
【００１９】
請求項１２の考案は、前記飲料容器がホット飲料のための飲料容器である請求項１ないし１１のいずれか１項に記載の飲料容器に係る。
【００２０】
請求項１３の考案は、前記飲料容器が使い捨て用である請求項１ないし１２のいずれか１項に記載の飲料容器に係る。
【考案の効果】
【００２１】
請求項１の考案に係る飲料容器によると、上部開口の内側に内周摺動部及び前記内周摺動部の外側に外周鍔部が延設されてなるカップ状の容器本体と、前記容器本体の前記内周摺動部及び前記外周鍔部に着脱しかつ回動自在に嵌着する内嵌合部を有する蓋体とを有し、前記容器本体の前記内周摺動部及び前記外周鍔部には当該容器本体内の飲料を外部へ注出するための部分凹部からなる注出凹部が形成されているとともに、前記容器本体の内壁部には蓋停止凹部が形成されており、前記蓋体の前記内嵌合部の下面にはその回動により前記蓋停止凹部と係合する蓋停止突部が形成され、前記蓋体には前記蓋停止凹部と前記蓋停止突部との係合により前記蓋体の回動が停止される位置の前記容器本体の注出凹部と対応する飲み口連通部が形成されてなるため、飲料の販売時に使用される蓋体を伴った容器において、容器から液漏れがしにくく、コップから飲料を飲む感覚に近づけることができ、特に、注出凹部（飲み口）の開閉を簡便かつ的確に行うことが可能である。
【００２２】
請求項２の考案に係る飲料容器によると、請求項１の考案において、前記蓋停止凹部が２つの条部間に形成されており、前記蓋停止突部は前記条部を乗り越えて前記蓋停止凹部と係合するため、利用者は係合等の感触等が得られ、手元を視認しなくても、注出凹部の開閉状態を容易に認識することができる。
【００２３】
請求項３の考案に係る飲料容器によると、請求項１または２の考案において、前記注出凹部が対向して前記容器本体に２か所形成されており、前記蓋体には一方の注出凹部に対応する飲み口連通部と他方の注出凹部に対応する外気連通部とが形成されているため、一方の注出凹部を飲料が流通する際に他方の注出凹部は空気の流路となる。
【００２４】
請求項４の考案に係る飲料容器によると、請求項３の考案において、前記蓋停止凹部は前記２か所の注出凹部間の前記内壁部に形成されており、前記蓋停止突部は前記飲み口連通部と前記外気連通部との間の前記蓋停止凹部に対応する位置に形成されているため、飲み口連通部や外気連通部と注出凹部との連通の妨げとならない。
【００２５】
請求項５の考案に係る飲料容器によると、請求項４の考案において、前記蓋停止凹部が対向して前記内壁部に２か所形成されており、前記蓋停止突部は前記２か所の前記蓋停止凹部に対応して２か所形成されているため、より確実な係合が可能となってより明確な節度感が得られるとともに、蓋体の回動操作の効率化を図ることができる。
【００２６】
請求項６の考案に係る飲料容器によると、請求項１ないし５のいずれかの考案において、前記内周摺動部の下部直径が該内周摺動部の上部直径よりも大きく、かつ、前記内嵌合部の下部直径が該内嵌合部の上部直径よりも大きく形成されていて、前記容器本体の前記内周摺動部の内側に前記蓋体の前記内嵌合部が嵌着するため、容器としての気密性が向上し、飲料は飲料容器から漏洩しにくくなる。同時に、蓋体嵌着時の節度感を感じることができる。
【００２７】
請求項７の考案に係る飲料容器によると、請求項１ないし６のいずれかの考案において、前記蓋体に該蓋体を回動するための回動つまみ部が設けられているため、利用者は回動つまみ部に指をかけて蓋体を回すことができ、蓋体の回動はきわめて容易になる。
【００２８】
請求項８の考案に係る飲料容器によると、請求項１ないし７のいずれかの考案において、前記蓋体に排気部が形成されているため、湯気を逃がして容器内部の圧力を下げることができる。
【００２９】
請求項９の考案に係る飲料容器によると、請求項１ないし８のいずれかの考案において、前記蓋体に該蓋体を取り外すための開閉つまみ部が設けられているため、開閉つまみ部を上方に引っ張ることで蓋体を簡単に取り外すことができる。
【００３０】
請求項１０の考案に係る飲料容器によると、請求項１ないし９のいずれかの考案において、前記蓋体の蓋面部に補助段部が設けられているため、蓋体の構造強度が増し撓み変形への耐性が生じる。
【００３１】
請求項１１の考案に係る飲料容器によると、請求項１ないし１０のいずれかの考案において、前記容器本体の胴部外周面を被覆するスリーブが備えられるため、容器本体からの熱伝導は抑制される。
【００３２】
請求項１２の考案に係る飲料容器によると、請求項１ないし１１のいずれかの考案において、前記飲料容器がホット飲料のための飲料容器であるため、容器を傾ける程度は容器本体の同じとなるため、必要以上に傾けて飲料をこぼしたり、思わず熱い飲料を飲みこんだりする等の不具合に有効に対処できる。
【００３３】
請求項１３の考案に係る飲料容器によると、請求項１ないし１２のいずれかの考案において、前記飲料容器が使い捨て用であるため、テイクアウト目的での提供に好適であり、１回ごとの使用であるため衛生的である。
【図面の簡単な説明】
【００３４】
【図１】本考案の飲料容器の容器本体と蓋体の分離状態の側面図である。
【図２】容器本体の全体斜視図である。
【図３】容器本体の平面図である。
【図４】容器本体の断面図である。
【図５】内周摺動部及び内嵌合部の部分拡大断面図である。
【図６】蓋停止凹部周辺の斜視図である。
【図７】蓋体の下面側の斜視図である。
【図８】蓋体の平面図である。
【図９】蓋体の断面図である。
【図１０】閉状態の飲料容器の平面図である。
【図１１】閉状態の飲料容器の縦断面図である。
【図１２】開状態の飲料容器の平面図である。
【図１３】開状態の飲料容器の縦断面図である。
【図１４】蓋停止凹部と蓋停止突部との係合状態を表した要部拡大断面図である。
【図１５】スリーブを装着した容器本体の構造断面図である。
【考案を実施するための形態】
【００３５】
図１は、本考案の一実施形態に係る飲料容器１の分解状態の側面図であって、容器本体１０と、蓋体５０とから構成される。飲料容器１は主に、コンビニエンスストア、スーパーマーケット、デパート、飲食店、屋台等における飲料の販売時、さらにはビュッフェ形式等の提供、ケータリング、仕出し、宅配サービス等に用いられる蓋付きの容器である。この飲料容器１では、容器本体１０に飲料が充填され、ここに蓋体５０が被せられ、顧客に提供される。
【００３６】
飲料容器１内に充填する飲料の種類は特段制約されない。例えば、水、ジュースや炭酸飲料等の清涼飲料水、乳飲料、アルコール飲料、カクテル、その他地域ごとに特産の飲料等のコールド飲料である。また、コーヒー、紅茶、各種のお茶、ココア、ホットチョコレート、ホットミルク、ホットワイン（グリューヴァイン）、その他加温した酒類等のホット飲料、さらにはスープ類の容器の用途にも適している。
【００３７】
この飲料容器１は、公知の合成樹脂シート（熱可塑性樹脂シート）の成形品よりなる。具体的には、ポリエチレン、ポリプロピレン、ポリスチレン、ポリエチレンテレフタレート等の合成樹脂シートやポリ乳酸等の生分解性の合成樹脂シートを使用することができる。合成樹脂シートの厚さは適宜ではあるものの、概ね１．５ｍｍ以下の厚さである。これらの合成樹脂シートは真空成形により図示の形状に成形される。なお、容器本体１０と蓋体５０との組み合わせにおいて、両者を同一の材料で形成してもよいし、互いに異なる材料としてもよい。異なる材料とする場合において、容器本体１０は上記の材料に限らず、紙製、木製、金属製、ガラス製、陶磁器製、その他樹脂製とすることもできる。
【００３８】
当該飲料容器に１にあっては、販売形式等から、容器本体１０と蓋体５０の双方を前記の樹脂シートの成形品とした使い捨て用（ディスポーザブル）とされる。樹脂シートの成形品であることにより、材料費の軽減に加えて、大量生産が可能となり製造単価を低廉に抑えることができる。そして、テイクアウト時に使用される使い捨て用であるため、１回ごとの使用となり衛生的である。
【００３９】
容器本体１０は、飲料が充填されるカップ状の容器であって、図１〜４に示すように、上部開口１１の内側に内周摺動部１２が形成され、同内周摺動部１２の外側に外周鍔部１３（容器フランジ部）が延設される。カップ状の容器本体１０では、上部開口１１が円形状であり、上部開口１１から逆テーパ状の胴部１５が円形状の底部１６と連設されて略逆円錐台形状をなしており、注出凹部２０と、蓋停止凹部３０とを有する。
【００４０】
内周摺動部１２は、図４に示すように、内周段部１４を介して胴部１５と接続され、上部開口１１の円形状に対応して平面視円形状に形成される。また、この内周摺動部１２は、図５に示すように、上方側（上部開口１１側）がその下方側よりも僅かに窄められている。すなわち、内周摺動部１２の下端１２ａとなる下部直径Ｄｃ１は、同内周摺動部１２の上端１２ｂとなる上部直径Ｄｃ２より大きく（Ｄｃ１＞Ｄｃ２）形成される。
【００４１】
注出凹部２０は、図２〜４に示すように、内周摺動部１２及び外周鍔部１３に形成され、容器本体１０内の飲料を外部へ注出するための流路となる部分凹部２５からなる。部分凹部２５は、断面視で緩やかなＬ字状の窪みである。この部分凹部２５は、飲料の円滑な流出のために内周摺動部１２及び外周鍔部１３の双方に形成される。実施形態の注出凹部２０は、互いに対向する配置で容器本体１０に２か所形成される。上部開口１１の円周上の１８０oの対向位置（直径上）の配置である。後述するように、一の注出凹部２０を飲料が流通する際、他の注出凹部２０は空気の流通部位となる。両注出凹部２０は同形状もよいし、異形状でもよい。図２，３の例では、両注出凹部２０が異形状であり、便宜上、平面視略円弧状の注出凹部を第１注出凹部２１、平面視略台形状の注出凹部を第２注出凹部２２とした。
【００４２】
蓋停止凹部３０は、図１〜４，６に示すように、容器本体１０の胴部１５の内壁部１７に形成されている。図示の例において、蓋停止凹部３０が形成される内壁部１７は、内周摺動部１２の下方に内周段部１４を介して接続された段状胴部１５ａの内周面である。実施形態の蓋停止凹部３０は、図６に示すように、内壁部１７から突出した２つの条部３１，３１間に形成されている。この条部３１は、内壁部１７から略垂直に立設された垂直面部３２と、垂直面部３２の頂点から内壁部１７へ湾曲状に傾斜した傾斜面部３３とを有する。そして、２つの条部３１，３１では、垂直面部３２，３２同士が対向するように配置されて蓋停止凹部３０を構成している。
【００４３】
この蓋停止凹部３０は、図２，３に示すように、２か所の注出凹部２０，２０間の内壁部１７ａ，１７ｂに形成される。すなわち、注出凹部２０の下方には形成されない。また、蓋停止凹部３０は、注出凹部２０，２０間の各内壁部１７ａ，１７ｂにそれぞれ１つずつ、計２か所（３０，３０）に形成されており、特に図３に示すように１８０°の対向位置（直径上）の配置である。実施形態においては、２つの蓋停止凹部３０，３０は、２か所の注出凹部２０，２０に対して９０°回転させた位置に形成されている。
【００４４】
蓋体５０は、図７〜１３に示すように、容器本体１０の密封とともに注出凹部２０の開閉を可能とする部材であって、内嵌合部５２と、蓋停止突部６０と、飲み口連通部７０と、外気連通部７５とを有する。各図において、符号５１は蓋体５０の蓋面部、５３は蓋体５０の蓋鍔部である。
【００４５】
内嵌合部５２は、容器本体１０の内周摺動部１２及び外周鍔部１３に着脱しかつ回動自在に嵌着する。特に内嵌合部５２は、容器本体１０の内周摺動部１２の内側に嵌り込む内嵌合の形態である。そのため、内嵌合部５２は、図９等のように蓋面部５１が蓋鍔部５３よりも押し下げられて形成される。また、内嵌合部５２は、内周摺動部１２に嵌着されることから理解されるように、容器本体１０の内周摺動部１２の形状に対応する平面視円形状に形成されている。このように、内周摺動部１２と内嵌合部５２とがいずれも円形状であることから、内嵌合部５２は内周摺動部１２に嵌着された状態で自在な回動が可能である。さらに、内嵌合部５２は、図５に示すように、内周摺動部１２と同様に上方側がその下方側よりも僅かに窄められている。すなわち、内嵌合部５２の下端５２ａとなる下部直径Ｄｔ１は、同内嵌合部５２の上端５２ｂとなる上部直径Ｄｔ２より大きく（Ｄｔ１＞Ｄｔ２）形成される。
【００４６】
ここで、嵌合する内周摺動部１２と内嵌合部５２の形状は、成形の都合上、壁面状に仕上げられる。内周摺動部１２及び内嵌合部５２に設けられた角度は、容器の上下方向の垂直軸Ａｘから容器の内側に向けておよそ１ないし７°適宜の傾斜である。傾斜角度は成形時の脱型、蓋体の嵌め込みやすさ、容器自体の形状、及び大きさ等を勘案して規定される。また、内周摺動部１２に対して内嵌合部５２の壁面または下端５２ａが当接しているので双方間で密着は高く容器としての気密性が向上する。そのため、飲料は飲料容器１から漏洩しにくくなる。
【００４７】
また、飲料容器１を倒したり落としたりした場合、容器本体１０の外周鍔部１３がテーブルや地面と衝突する。このような場合、衝突時に加わる力は外周鍔部１３から内嵌合部５２に伝わる。ここで、既述のとおり、容器本体１０の内周摺動部１２の上部開口１１側が窄まっているため、内嵌合部５２は衝突時の力により内周摺動部１２の下方側へ押し込まれ、結果的に内周摺動部１２と内嵌合部５２の嵌着が強まる。従って、容器本体に蓋体を嵌着した後の飲料容器は、転倒や落下等の衝撃に対しても飲料の液漏れを抑制することができる。
【００４８】
いったん容器本体１０の内周摺動部１２に蓋体５０の内嵌合部５２が嵌着された場合、不用意に蓋体５０は容器本体１０から外れにくくなる。具体的には、蓋体５０の離脱時に内嵌合部５２の下端５２ａは移動しようとする。しかし、内周摺動部１２の上端１２ｂは内嵌合部５２の下端５２ａに対して抵抗するように作用する。このため、内嵌合部５２の下端５２ａの移動は抑制され、蓋体５０の安易な脱離は抑制される。また自明ながら、蓋体５０を容器本体１０に装着する際に適度な抵抗が生じる。しかし、蓋体５０を嵌着する際、内周摺動部１２の上端１２ｂを蓋体５０の内嵌合部５２の下端５２ａが通過すると、その後は無理なく自然に内周摺動部１２は内嵌合部５２に嵌り込む。従って、本考案の飲料容器の利用者は、蓋体の嵌着時に生じる音、感触、抵抗等からはっきりとした節度感を得ることができ、同時に、嵌合不具合の有無の確認も容易になる。
【００４９】
図５，７，８（ｂ），９に示すように、内嵌合部５２の下方の蓋面部５１には、必要に応じて補助段部５５が設けられる。蓋面部５１における補助段部５５の形成位置は、内嵌合部５２の直下よりも僅かに内側であり、後述する飲み口連通部７０及び外気連通部７５を除いて円弧状に形成される。補助段部５５により蓋体５０の構造強度が増し撓み変形への耐性が生じる。
【００５０】
蓋停止突部６０は、図７，８（ｂ），９に示すように、内嵌合部５２の下面に突出して形成された部位である。この蓋停止突部６０は、図１０〜１４に示すように、蓋体５０の回動により蓋停止凹部３０と係合する。蓋停止突部６０の形状は蓋停止凹部３０と係合可能な形状であれば特に限定されないが、実施形態では断面視略四角形状である。また、内嵌合部５２の下方に補助段部５５が形成されている場合、蓋停止突部６０は補助段部５５の下面に形成される。蓋停止突部６０と蓋停止凹部３０との係合により、後述する蓋体５０の飲み口連通部７０と外気連通部７５とが、容器本体１０の注出凹部２０，２０とそれぞれ連通するように位置決めされる。
【００５１】
この蓋停止突部６０は、図８（ｂ）に示すように、後述の飲み口連通部７０と外気連通部７５との間に形成される。つまり、飲み口連通部７０と外気連通部７５との下方には形成されない。これは、飲み口連通部７０や外気連通部７５と注出凹部２０との連通を妨げないようにするためである。特に、蓋停止突部６０は、蓋停止凹部３０との係合による飲み口連通部７０及び外気連通部７５の位置決めを行う関係から、蓋停止凹部３０に対応する位置に形成される。すなわち、蓋停止突部６０と飲み口連通部７０及び外気連通部７５との位置関係は、蓋停止凹部３０と注出凹部２０，２０との位置関係に対応する。実施形態の蓋停止突部６０では、飲み口連通部７０と外気連通部７５との間の各内嵌合部５２の下面（図示の実施形態では、補助段部５５の下面）にそれぞれ１つずつ、１８０°の対向位置（直径上）の配置で計２か所（６０，６０）に形成される。そして、２つの蓋停止突部６０，６０は、飲み口連通部７０及び外気連通部７５に対して９０°回転させた位置に形成されている。
【００５２】
飲み口連通部７０は、図１２，１３に示すように、蓋体５０の回動により容器本体１０の一方の注出凹部２０（２１または２２のいずれか）に対応して連通されて一方の注出凹部２０を開放する部位である。また、外気連通部７５は、蓋体５０の回動により飲み口連通部７０が一方の注出凹部２０を開放した際に、他方の注出凹部２０（２２または２１のいずれか）に対応して連通されて他方の注出凹部２０を開放する部位である。蓋体５０における飲み口連通部７０と外気連通部７５の配置は、注出凹部２０，２０と同様に内嵌合部５２の円周上の１８０°の対向位置（直径上）の配置である。
【００５３】
飲み口連通部７０は飲料の流路となり、外気連通部７５は空気の流路となる。飲み口連通部７０は飲料の流路であるため、外気連通部７５よりも大きく形成される。具体的には、蓋面部５１から内嵌合部５２の一部分を湾曲面状の切り取った形状である。飲み口連通部７０を経由して喫飲する際、注出凹部２０に被さる蓋鍔部５３が邪魔になるため、外周鍔部１３の注出凹部２０の開口に合わせて蓋鍔部５３は鍔欠き部５４として切り取られる。また、鍔欠き部５４の対向位置の蓋鍔部５３には連通溝５６が設けられている。連通溝５６は外気連通部７５とともに飲料容器１外部の空気を容器本体１０内部に誘導して圧力差を解消し内容物である飲料を注出凹部２０及び飲み口連通部７０から流出しやすくするための空気の通り道である。
【００５４】
上記蓋体５０は、容器本体１０への嵌着後、蓋体５０自体の回動により注出凹部２０が開閉される。そこで、蓋体５０には、図８（ａ）に示すように、蓋体自体を回動するための回動つまみ部８０が蓋面部５１に設けられる。回動つまみ部８０は図７，９（ａ）から把握されるように両端の膨らんだ棒形状である。飲料容器１の利用者は、回動つまみ部８０の両端の膨端部８１に指をかけて時計回りまたは反時計回りに蓋体５０を回すことができる。蓋面部５１に回動つまみ部８０が備えられているため、蓋体５０の回動はきわめて容易になる。
【００５５】
また、図７〜９に示すように、蓋体５０には開閉つまみ部８５が設けられる。蓋体５０は蓋鍔部５３を備える構造であるため、開閉つまみ部８５は蓋鍔部５３に設けられる。開閉つまみ部８５は嵌着時に容器本体１０の外周鍔部１３よりも張り出すため、いったん蓋体５０を容器本体１０に被せて嵌着した後に蓋体５０を取り外す際、開閉つまみ部８５を上方に引っ張ることで蓋体５０は簡単に取り外される。例えば、飲料等を継ぎ足す場合に便利である。この開閉つまみ部８５は鍔欠き部５４の対向位置に設けられている。鍔欠き部５４を一方の注出凹部２０（２１または２２のいずれか）に合わせると、追従して開閉つまみ部８５は他方の注出凹部２０（２２または２１のいずれか）に位置する。そのことから、開閉つまみ部８５の蓋鍔部５３内には連通溝５６が形成されている。
【００５６】
加えて、図７，８に示すように、蓋体５０には排気部９０が形成される。排気部９０は容器本体１０に蓋体５０を被せて嵌合した後の水蒸気の抜け穴（ベント）である。容器本体１０に熱い飲料を充填して蓋体５０を嵌着した場合、発生する湯気が飲料容器１の内部に充満する。すると容器内部の圧力が高まり、不用意に蓋体５０が外れるおそれがある。そこで、容器内部の圧力を下げる程度の小穴が排気部９０として形成される。
【００５７】
そのほか、図示しないものの、蓋体５０の蓋面部５１または回動つまみ部８０には、回動方向を示す矢印または言語表示（例えば「まわす」「ＴＵＲＮ」）等を付してもよい。また、どこから飲むことができるのかを示す言語表示（例えば「のみくち」「ＤＲＩＮＫ」）等を付してもよい。さらには、熱い飲料の場合の適宜の注意喚起の言語表示（例えば「熱い」「ＨＯＴ」）を付してもよい。加えて、これらの内容を示すための点字またはユニバーサルデザインによる表示を付してもよい。
【００５８】
これより図１０〜１４を用い、本考案の飲料容器１の使用時の様子を説明する。図１０，１１に示した飲料容器１の状態は、蓋体５０を容器本体１０に嵌着させて封止した状態である。特に、飲料の販売時等の液漏れしにくくした状態である。図１０の容器本体１０において、いずれの注出凹部２０，２０の部分凹部２５も蓋体５０の蓋鍔部５３により覆われている。
【００５９】
図１１のとおり、内周摺動部１２に形成される部分凹部２５の窪みは内周摺動部１２の上下方向の全体に設けられるのではなく、内周摺動部１２の下端１２ａ付近を残して設けられる。この内周摺動部１２と蓋体５０の内嵌合部５２の壁面またはその下端５２ａは当接（密着）しているため、容器本体１０と蓋体５０の相互間での密着性は高い。また容器本体１０の内周摺動部１２の下端１２ａは途切れることなく円周状につながっている。従って、飲料容器としての気密性は確保され、内容物である飲料は安易に上部開口から漏れ出さなくなる。
【００６０】
この閉鎖状態において、蓋体５０の蓋停止突部６０，６０は、容器本体１０の蓋停止凹部３０，３０に対して係合されない任意の位置に配置されている。図１０，１１の例では、蓋停止凹部３０，３０に対して略９０°回転させた位置関係である。ここで、当該飲料容器１は、蓋体５０の回動操作により、図１２，１３に示す喫飲可能な状態とされる。具体的には、利用者は回動つまみ部８０を指でつまみ、時計回りまたは反時計回りのいずれかの回動方向に蓋体５０をひねる。
【００６１】
この時、蓋体５０の蓋停止突部６０は、図１４（ａ）に示すように、胴部１５（段状胴部１５ａ）の内壁部１７に沿って回動されて、蓋停止凹部３０に近接される。そして、蓋体５０がさらに回動されることにより、図１４（ｂ）に示すように、蓋停止突部６０は蓋停止凹部３０の一方の条部３１の傾斜面部３３に当接される。条部３１に到達した蓋停止突部６０は、傾斜面部３３を摺動して条部３１を乗り越えることにより、図１４（ｃ）のように２つの条部３１，３１間の蓋停止凹部３０に係合される。従って、円滑に回動されていた蓋体５０は、蓋停止凹部３０と蓋停止突部６０との係合により一旦停止される。
【００６２】
上記係合による蓋体５０の回動停止位置が、図１２，１３に示す喫飲可能位置である。すなわち、蓋体５０の鍔欠き部５４が容器本体１０の注出凹部２０（部分凹部２５）の直上位置に達するまで回動された位置であり、これによって一方の注出凹部２０（図示では第１注出凹部２１）は蓋鍔部５３から露出される。そして、蓋鍔部５３に形成された連通溝５６は他方の注出凹部２０（図示では第２注出凹部２２）の直上に位置する。従って、注出凹部２０（第１注出凹部２１）の部分凹部２５に対して蓋体５０の飲み口連通部７０が向き合い、飲料容器１の内部から、飲み口連通部７０、注出凹部２０、及び外周鍔部１３に至る飲料の流路が形成される（図１３中、矢印Ａｏ参照）。また、他方の注出凹部２０（第２注出凹部２２）の部分凹部２５に対して蓋体５０の外気連通部７５が向き合い、飲料容器１の外部から、連通溝５６、部分凹部２５、及び外気連通部７５に至る空気の流路が確保される（図１３中、矢印Ａｉ参照）。
【００６３】
このように、蓋停止凹部３０と蓋停止突部６０との係合により容器本体１０の注出凹部２０が喫飲可能に開放されるため、利用者は、係合時の音、感触、抵抗等からはっきりとした節度感を得て、当該飲料容器１の開封（喫飲可能状態）を認識することができる。また、係合状態から蓋体５０をさらに回動させることによって、容易に蓋停止凹部３０と蓋停止突部６０との係合を解除することが可能である。係合が解除された場合は、前記のように液漏れしにくい封止状態となる。そのため利用者は、係合解除時の音、感触、抵抗等から当該飲料容器１の封止を認識することができる。従って、利用者は、蓋体５０の回動に際して、蓋停止凹部３０と蓋停止突部６０との係合または係合解除に基づいて、飲み口（注出凹部２０）の開閉を簡便かつ的確に行うことが可能となる。特に、利用者は係合または係合解除の感触（節度感）等が得られることにより、手元（例えば蓋体５０の回動位置等）を視認しなくても、飲み口の開閉状態を容易に認識することができる。
【００６４】
また、実施形態の飲料容器１では、２つの蓋停止突部６０，６０が飲み口連通部７０と外気連通部７５との間の各内嵌合部５２の下面（図示の実施形態では、補助段部５５の下面）にそれぞれ１つずつ、１８０°の対向位置（直径上）に配置されている。そのため、蓋体５０の回動が停止される際には２か所で同時に係合されることとなり、より確実な係合が可能となってより明確な節度感が得られる。さらに、１８０°の対向位置で蓋停止凹部３０と蓋停止突部６０とが係合可能であるため、蓋体５０の回動量を極力減らすことができ、回動操作の効率化を図ることができる。
【００６５】
利用者は、開封された飲料容器１から飲料を飲む場合、鍔欠き部５４近傍の注出凹部２０の位置の外周鍔部１３に口を付けて同飲料容器１を傾ければよい。つまり、一般的なコップから飲料を飲むのと同様に、飲料容器１を傾けることによって内部の飲料が自然に口内に流れ込む。その際、外気連通部７５による空気の流路により、飲料容器１の内部と外部の圧力差は生じず、飲料は円滑に流出可能となる。
【００６６】
飲料容器１内の飲料を飲み残した場合、鍔欠き部５４から注出凹部２０が見えなくなる位置まで再び蓋体５０を回動させて注出凹部２０を閉じることができる。こうすれば、飲み残し時でも飲料容器としての気密性は容易に確保される。そして、蓋体５０を係合位置まで回動させて注出凹部２０を開放すれば、いつでも必要なときに利用者は飲料容器１内の飲料を飲むことができる。しかも、注出凹部２０近傍の外周鍔部１３は蓋体５０の蓋鍔部５３により覆われるため、露出が避けられて衛生的である。
【００６７】
当該飲料容器にあっては、先述のようにコールド飲料やホット飲料の容器として用いられる。コールド飲料の場合、たいてい蓋体にストローをさして飲むことができる。しかし、ホット飲料の場合、ストローから飲むことは少なく飲料容器（カップ）から直接飲料を飲むことになる。そこで、ホット飲料用の飲料容器とした場合、蓋体を通じての飲料容器からの液漏れを抑制できるとともに、飲み残した際も密封性が確保されるため極めて好都合である。加えて、図１３等から理解されるように、蓋体は容器本体に対して内側に嵌合するため、飲料容器自体の全高は容器本体とほとんど変わらない。つまり、利用者が飲料を飲もうとするときの飲料容器の傾け具合と実際の飲料の液面の感覚の不一致は無くなる。特に、利用者がホット飲料を飲もうとする場合、飲料容器を傾ける程度は容器本体の同じであるため、必要以上に傾けて飲料をこぼしたり、思わず熱い飲料を飲みこんだりする等の不具合に有効に対処できる。
【００６８】
また、図１５に示すように、容器本体１０の胴部１５にスリーブ４０を装着して胴部１５の外周面を被覆してもよい。スリーブ４０は円錐台形状の筒体である。このスリーブ４０は、上部が段状に張り出した段状胴部１５ａと接触し、下部が底部１６の側壁部１６ａと接触する。スリーブ４０は必要に応じて接着剤、両面テープ等により段状胴部１５ａや側壁部１６ａと接合される。そこで、スリーブ４０と容器本体１０の胴部１５の間に間隙４１が形成される。容器本体１０を樹脂シートから形成した場合、樹脂シートの厚さが薄いためホット飲料の熱は胴部１５を通じて利用者の手に伝導してしまい、利用者は熱さのため容器本体１０を持つことができない。そこで、スリーブ４０を胴部１５の外周面に装着すると、間隙４１を介するため、直接の熱伝導は抑制され、手で持った際に熱く感じにくくなる。スリーブ４０は比熱等を考慮して紙製等であり、適宜の印刷がその表面に施される。また、コールド飲料を容器本体に充填した際にもスリーブ４０の別の効果が生じる。通常、氷入りのコールド飲料を容器本体に充填すると胴部１５に結露が生じる。しかし、スリーブ４０が備えられているため、コールド飲料の冷たさの熱伝導が抑制されるとともに、利用者は結露の水滴により手を濡らすことなく飲料容器１を手に持つことができる。
【００６９】
なお、本考案の飲料容器は、前述の実施形態のみに限定されるものではなく、考案の趣旨を逸脱しない範囲において構成の一部を適宜に変更して実施することができる。例えば、容器本体の内周摺動部に着脱しかつ回動自在に嵌着する蓋体の内嵌合部の構造は、必ずしも図示の構造に限定されず、公知の嵌着構造を採用することができる。例えば、双方に凸部と凹部を備えて組み合わせた多段形状の構造等である。
【産業上の利用可能性】
【００７０】
本考案の飲料容器は、飲料の飲みやすさと、飲み残し時の密封性を高めて内容物である飲料の漏洩を抑えた利便性の高い蓋付きの飲料容器である。特に蓋体の回動によって手元を視認せずに飲み口を的確に開閉することが可能である。従って、テイクアウト形式の飲料容器として好適に用いることができる。
【符号の説明】
【００７１】
１  飲料容器
１０  容器本体
１１  上部開口
１２  内周摺動部
１２ａ  内周摺動部の下端
１２ｂ  内周摺動部の上端
１３  外周鍔部
１４  内周段部
１５  胴部
１５ａ  段状胴部
１６  底部
１６ａ  底部の側壁部
１７，１７ａ，１７ｂ  内壁部
２０  注出凹部
２１  第一注出凹部
２２  第二注出凹部
２５  部分凹部
３０  蓋停止凹部
３１  条部
３２  垂直面部
３３  傾斜面部
４０  スリーブ
４１  間隙
５０  蓋体
５１  蓋面部
５２  内嵌合部
５２ａ  内嵌合部の下端
５２ｂ  内嵌合部の上端
５３  蓋鍔部
５４  鍔欠き部
５５  補助段部
５６  連通溝
６０  蓋停止突部
７０  飲み口連通部
７５  外気連通部
８０  回動つまみ部
８１  膨端部
８５  開閉つまみ部
９０  排気部
Ｄｃ１  内周摺動部の下部直径
Ｄｃ２  内周摺動部の上部直径
Ｄｔ１  内嵌合部の下部直径
Ｄｔ２  内嵌合部の上部直径
【図１】
0003204924.tif 000003
【図２】
0003204924.tif 000004
【図３】
0003204924.tif 000005
【図４】
0003204924.tif 000006
【図５】
0003204924.tif 000007
【図６】
0003204924.tif 000008
【図７】
0003204924.tif 000009
【図８】
0003204924.tif 000010
【図９】
0003204924.tif 000011
【図１０】
0003204924.tif 000012
【図１１】
0003204924.tif 000013
【図１２】
0003204924.tif 000014
【図１３】
0003204924.tif 000015
【図１４】
0003204924.tif 000016
【図１５】
0003204924.tif 000017